(57)【要約】【課題】多くの種類のゴルフパターに適用でき、収納が容易で持ち運びに便利であり、しかも、ゴルフパターに容易に取り付けることができ、かつラインガイドの位置決めを容易に行うことができるパッティング用補助具およびゴルフパターを提供すること。【解決手段】クラブ１０のフェイス１３を目標ラインＸに対して直角に向けてパッティングを行うように補助するパッティング用補助具１において、ヘッド１１のフェイス上端面１２に取り付けられる取付板２と、取付板２に対して水平方向に回動可能に軸支されるとともに、取付板２に対して相対回転させて、フェイス１３に対して直交する方向と平行となる方向にセッテイング可能となる方向板３と、を有することを特徴とする。【選択図】図２
2011110217.tif 000002
【特許請求の範囲】
【請求項１】
クラブのフェイスを目標ラインに対して直角に向けてパッティングを行うように補助するパッティング用補助具において、
ヘッドのフェイス上端面に取り付けられる取付板と、
上記取付板に対して水平方向に回動可能に軸支されるとともに、上記取付板に対して相対回転させて、上記フェイスに対して直交する方向と平行となる方向にセッテイング可能となる方向板と、
を有することを特徴とするパッティング用補助具。
【請求項２】
請求項１記載のパッティング用補助具において、
前記方向板には、長手方向および／または短手方向に沿うように裏側に向かって突出する凸部が形成され、前記取付板の表側には、長手方向および／または短手方向に沿うような溝部が形成され、前記方向板を前記フェイスに対して直交する方向まで回動させると、上記凸部が上記回動した位置において上記溝部に嵌まり込み、前記方向板が前記取付板に対して位置決めされることを特徴とするパッティング用補助具。
【請求項３】
請求項１または２記載のパッティング用補助具において、
前記方向板と前記取付板とはボルトとナットを締結することにより互いに回動自在に支持されており、前記方向板と上記ナットとの間に弾性部材を介在させることにより、前記方向板を前記取付板の方向に押圧させるとともに、上記ナットを前記方向板から離間するように配置させたことを特徴とするパッティング用補助具。
【請求項４】
請求項３記載のパッティング用補助具において、
前記ナットは前記クラブフェイスの中心点となるスイートスポットに取り付けられていることを特徴とするパッティング用補助具。
【請求項５】
請求項１から４のいずれか１項記載のパッティング用補助具において、
前記フェイス上端面に対して着脱可能であることを特徴とするパッティング用補助具。
【請求項６】
請求項１から５のいずれか１項記載のパッティング用補助具において、
前記方向板の先端にその先端側が開口する筒形状の筒状部を設け、該筒状部の内部にパッティングのラインガイドとなる棒状部材を差し込み可能な構成としたことを特徴とするパッティング用補助具。
【請求項７】
請求項１から６のいずれか１項記載のパッティング用補助具を、前記ヘッドの前記フェイス上端面に装着したことを特徴とするゴルフパター。
【発明の詳細な説明】
【技術分野】
【０００１】
本発明は、パッティング用補助具およびゴルフパターに関する。
【背景技術】
【０００２】
ゴルフ競技においてパッティングを正確に行うためには、ゴルフボールとカップとの間の目標ラインに沿ってゴルフパターのクラブヘッドを直線的に振り抜く必要がある。このようにクラブヘッドを直線的に振り抜くには、ゴルフボールを鉛直上方から見て打つことが重要である。加えて、目標ラインに沿ってゴルフボールを転がすためには、ゴルフボールをクラブヘッドの重心位置で打つことも重要とされている。
【０００３】
特許文献１には、ラインガイドをクラブヘッドのフェイス面に対して直角に位置させ、プレーヤーがクラブヘッドを直線的に振り抜くことを補助するパッティング用補助具が開示されている。
【先行技術文献】
【特許文献】
【０００４】
【特許文献１】特開平１１−１９２６４号公報（発明の詳細な説明）
【発明の概要】
【発明が解決しようとする課題】
【０００５】
しかしながら、特許文献１に開示されているパッティング用補助具は、ゴルフボールのラインガイドとなるガイド金具本体を、取付金具を用いてシャフトに取り付けるという構成となっており、ガイド金具本体をシャフトに取り付ける際に、該ガイド金具本体をヘッドの方向目印と合致するように調節しなければならない。
【０００６】
このため、パッティング用補助具をゴルフパターに取り付けるのに手間がかかってしまう。また、特許文献１に開示されているパッティング用補助具では、パッティング補助具の位置決めを行うためには、ヘッドに方向目印を設ける必要があるため、該パッティング用補助具を適用できるゴルフパターの種類が制限されてしまう。
【０００７】
本発明は、かかる問題に鑑みてなされたものであり、その目的とするところは多くの種類のゴルフパターに適用でき、収納が容易で持ち運びに便利であり、しかも、ゴルフパターに容易に取り付けることができ、かつラインガイドの位置決めを容易に行うことができるパッティング用補助具およびゴルフパターを提供しようとするものである。
【課題を解決するための手段】
【０００８】
上記課題を解決するために、本発明の一側面は、クラブのフェイスを目標ラインに対して直角に向けてパッティングを行うように補助するパッティング用補助具において、ヘッドのフェイス上端面に取り付けられる取付板と、取付板に対して水平方向に回動可能に軸支されるとともに、取付板に対して相対回転させて、フェイスに対して直交する方向と平行となる方向にセッテイング可能となる方向板と、を有するものである。
【０００９】
また、方向板には、長手方向および／または短手方向に沿うように裏側に向かって突出する凸部が形成され、取付板の表側には、長手方向および／または短手方向に沿うような溝部が形成され、方向板を前記フェイスに対して直交する方向まで回動させると、凸部が回動した位置において溝部に嵌まり込み、方向板が取付板に対して位置決めされることが好ましい。
【００１０】
また、方向板と取付板とはボルトとナットを締結することにより互いに回動自在に支持されており、方向板とナットとの間に弾性部材を介在させることにより、方向板を取付板の方向に押圧させるとともに、ナットを方向板から離間するように配置させることが好ましい。
【００１１】
また、ナットはクラブフェイスの中心点となるスイートスポットに取り付けられていることが好ましい。
【００１２】
また、フェイス上端面に対して着脱可能であることが好ましい。
【００１３】
また、方向板の先端にその先端側が開口する筒形状の筒状部を設け、該筒状部の内部にパッティングのラインガイドとなる棒状部材を差し込み可能な構成とすることが好ましい。
【００１４】
また、パッティング用補助具を、ヘッドのフェイス上端面に装着することが好ましい。
【発明の効果】
【００１５】
本発明によると、多くの種類のゴルフパターに適用でき、収納が容易で持ち運びに便利であり、しかも、ゴルフパターに容易に取り付けることができ、かつラインガイドの位置決めを容易に行うことが可能なパッティング用補助具およびゴルフパターを提供することができる。
【図面の簡単な説明】
【００１６】
【図１】本発明の第１の実施の形態に係るパッティング用補助具をゴルフパターのヘッドに装着した状態を示す斜視図であり、方向板をヘッドの長手方向に沿って位置させた状態の図である。
【図２】本発明の第１の実施の形態に係るパッティング用補助具をゴルフパターのヘッドに装着した状態を示す斜視図であり、方向板をヘッドの背面側に向かって９０°回動させた状態の図である。
【図３】本発明の第１の実施の形態に係るパッティング用補助具をヘッドの背面側からかつ斜め上方から見た分解斜視図である。
【図４】本発明の第１の実施の形態に係るパッティング用補助具の平面図であり、方向板をヘッドの背面側に向かって９０°回動させた状態の図である。
【図５】図２中の取付板の構成を示す図であり、上段はその平面図であり、下段はその側面図である。
【図６】図２中の方向板の構成を示す図であり、上段はその平面図であり、下段はその側面図である。
【図７】図２中の方向板をヘッドの背面側に向かって９０°回動させた状態において取付板と方向板とを取り付ける方法を説明するための図であり、上段はナットを締結する前の状態を示す図であり、下段はナットを締結した後の状態を示す図である。
【図８】プレーヤーの目の位置によるナットの見え方を示す図であり、上段は、プレーヤーが鉛直上方からゴルフボールを見ているときの図であり、中段は、プレーヤーの目がボルフボールよりもシャフト側にあるときの図であり、下段は、プレーヤーの目がゴルフボールよりもヘッドの先端側にあるときの図である。
【図９】本発明の第２の実施の形態に係るパッティング用補助具をゴルフパターのヘッドに装着した状態を示す斜視図であり、方向筒をヘッドの長手方向に沿って位置させた状態の図である。
【図１０】本発明の第２の実施の形態に係るパッティング用補助具をゴルフパターのヘッドに装着した状態を示す斜視図であり、方向筒をヘッドの背面側に向かって９０°回動させると共に方向筒に棒を差し込んだ状態の図である。
【図１１】図８中の方向筒の構成を示す図であり、上段はその平面図であり、中段はその側面図であり、下段は上段において矢示Ｃ方向から見た正面図である。
【図１２】本発明の変形例を示す図であり、Ｖ字凸部を方向板もしくは方向筒において表側から裏側に向かって折り曲げられたＶ字状の溝部で形成した場合を示す図である。
【発明を実施するための形態】
【００１７】
（第１の実施の形態）
以下、本発明の第１の実施の形態に係るパッティング用補助具１について、図面を参照しながら説明する。なお、本実施の形態では、右利き用のゴルフパター１０にパッティング用補助具１を装着する場合について説明する。また、ゴルフパター１０のフェイス１３と対向する側をヘッド１１の背面側と規定する。さらに、パッティング用補助具１の回動支点側を一端側と規定し、回動支点を中心として回動する移動端側を他端側と規定する。
【００１８】
図１は、本発明の第１の実施の形態に係るパッティング用補助具１をゴルフパター１０のヘッド１１に装着した状態を示す斜視図であり、方向板３をヘッド１１の長手方向に沿って位置させた状態の図である。図２は、本発明の第１の実施の形態に係るパッティング用補助具１をゴルフパター１０のヘッド１１に装着した状態を示す斜視図であり、方向板３をヘッド１１の背面側に向かって９０°回動させた状態の図である。図３は、本発明の第１の実施の形態に係るパッティング用補助具１をヘッド１１の背面側からかつ斜め上方から見た分解斜視図である。図４は、本発明の第１の実施の形態に係るパッティング用補助具１の平面図であり、方向板３をヘッド１１に対して背面側に向かって９０°回動させた状態の図である。図５は、図２中の取付板２の構成を示す図であり、上段はその平面図であり、下段はその側面図である。図６は、図２中の方向板３の構成を示す図であり、上段はその平面図であり、下段はその側面図である。図７は、図２中の方向板３をヘッド１１の背面側に向かって９０°回動させた状態において取付板２と方向板３とを取り付ける方法を説明するための図であり、上段はナット５を締結する前の状態を示す図であり、下段はナット５を締結した後の状態を示す図である。図８はプレーヤーの目の位置によるナット５の見え方を示す図であり、上段は、プレーヤーが鉛直上方からゴルフボールＢを見ているときの図であり、中段は、プレーヤーの目がボルフボールＢよりもシャフト側にあるときの図であり、下段は、プレーヤーの目がゴルフボールＢよりもヘッド１１の先端側にあるときの図である。
【００１９】
本発明の第１の実施の形態に係るパッティング用補助具１は、図１から図４等に示すように、ヘッド１１のフェイス上端面１２に取り付けられる取付板２と、クラブの一例となるゴルフパター１０をストロークするとき、ゴルフボールＢ（図４参照）の打球を目標ラインＸ（図４参照）に沿って転がすための補助を行う方向板３と、取付板２と方向板３とを接合するボルト４およびナット５（図３参照）と、ボルト４とナット５との間に介在されるスプリング６（図３参照）を有する。このパッティング用補助具１は、ゴルフパター１０のヘッド１１に装着される。
【００２０】
ここで、ゴルフパター１０のヘッド１１は、細長い略直方体形状を呈している。このヘッド１１は、フェイス１３と、該フェイス１３と対向する背面１４を有している。フェイス上端面１２は、フェイス１３の上端縁と背面１４の上端縁を連接するような平坦な面とされている。フェイス１３の中央部分がゴルフボールＢを打つときに抵抗をほとんど感じない部位となるスイートスポットＳなっている。
【００２１】
図２および図４等に示すように、方向板３は、ボルト４およびナット５を用いて、取付板２に対して水平方向に沿って回動可能に軸支されている。このため、パッティング用補助具１をヘッド１１に取り付け、方向板３を取付板２に対してヘッド１１の背面側に向かって直交する方向に９０°回動させれば、該方向板３はヘッド１１のフェイス１３に対して直交する方向に延出した状態となる(図２参照)。したがって、プレーヤーは、方向板３が指し示す方向を目安としながらスイングでき、ヘッド１１を目標ラインＸ（図４参照）に沿って直線的に振り抜くことできる。
【００２２】
このパッティング用補助具１のヘッド１１への装着方法としては、たとえば、取付板２をフェイス上端面１２に、不図示の両面テープを用いて取り付ける方法が挙げられる。この際、両面テープは取付板２の裏面全体に取り付けるのが好ましい。なお、装着方法は両面テープを用いる方法に限定されるものではなく、たとえば、接着剤等を用いる方法でパッティング用補助具１をヘッド１１に装着するようにしても良い。または、取付板２をセロハンテープなどで仮止めし、しばらく使用した後に、完全にヘッド１１へ固定する方法を採用しても良い。
【００２３】
図５に示すように、取付板２は、平面視した状態で略矩形状の形態を有する平板である。この取付板２の長手方向に沿った長さ寸法は５０〜８０ｍｍに形成され、短手方向に沿った幅寸法は５〜９ｍｍに形成されている。なお、取付板２の一端側には平面視して略円弧状のＲ部２ａが形成されている。また、取付板２は、たとえば、ＳＵ３０４のステンレス鋼から形成されている。しかしながら、取付板２の材料はステンレスに限定されるものではない。また、取付板２の表面にはニッケルメッキが施されている。しかしながら、取付板２の表面にニッケルメッキを施さないようにしても良い。
【００２４】
図５に示すように、取付板２を長手方向に沿って約３等分したうちの両端の２箇所の位置には、表側に向かって略台形状に突出する回動凸部２０と、係合凸部２１が設けられている。回動凸部２０および係合凸部２１は、共に側面視した状態で表側に向かって略台形形状に突出形成されている（図５の下段参照）。なお、係合凸部２１は取付板２においてＲ部２ａが形成される側となる一端側に設けられている。
【００２５】
図５に示すように、回動凸部２０の中央には直径２ｍｍの円孔２２が設けられている。また、円孔２２の外縁部には各辺の長さが３ｍｍの略正方形の形状を呈する平担面２３が形成されている。そして、この平担面２３からは周方向外方に向かって９０°おきに断面が略Ｖ字状のＶ字溝２４が合計４個形成されている。すなわち、平担面２３の外縁部から十字形状となるように合計４つのＶ字溝２４が形成されている。このＶ字溝２４の深さ寸法は、たとえば、０．３ｍｍに形成することができる。また、係合凸部２１の台形の頂部にあたる頂面２５には、取付板２の長手方向に沿うような断面が略Ｖ字状の長手Ｖ字溝２６が形成されている。この長手Ｖ字溝２６の深さ寸法は、Ｖ字溝２４の場合と同様、たとえば、０．３ｍｍに形成することができる。なお、回動凸部２０の裏側には、略正方形の形態で表側に向かって窪む窪み部２７が設けられている（図５および図７参照）。窪み部２７の一辺の長さは約３ｍｍに形成されている。
【００２６】
図６に示すように、方向板３は、平面視の状態で略矩形状の形態を有する平板である。この方向板３の長手方向に沿った長さ寸法は３０〜７０ｍｍに形成され、短手方向に沿った幅寸法は５〜９ｍｍに形成されている。この方向板３の短手方向の中央には、長手方向に沿うように黒色もしくは特定の色からなる直線状のラインガイド２９が表記されている。このラインガイド２９の幅寸法は２ｍｍとされている。また、後述する平坦面３１を短手方向に向かって跨いだ両側の部位にも、後述する円孔３０の中心を通りつつラインガイド２９に対して直交する方向に沿うようなラインが表記されている。なお、このラインは表記しないようにしても良い。また、方向板３の一端側にも、取付板２の場合と同様に、略円弧状のＲ部３ａが形成されている。また、方向板３は、たとえば、ＳＵ３０４のステンレス鋼から形成されている。しかしながら、方向板３の材料はステンレスに限定されるものではない。また、方向板３の表面にはニッケルメッキが施されている。しかしながら、方向板３の表面にニッケルメッキを施さないようにしても良い。
【００２７】
図６上段に示すように、方向板３の図６における左側となる一端部には、直径２ｍｍの円孔３０が設けられている。また、方向板３の一端側には裏側に向かって略Ｖ字状に突出する合計４つのＶ字凸部３２が設けられると共に、方向板３の長手方向の略中央には、裏側に向かって略Ｖ字状に突出するＶ字凸部３３が設けられている。このＶ字凸部３２，３３の突出長さは、たとえば、０．３ｍｍに形成することができる。また、方向板３の表面において円孔３０が形成されている部位の外縁部近傍には、ラインガイド２９およびラインが表記されていない平坦な面となる平坦面３１が存在する。この平坦面３１にはスプリング６の一端が当接する。Ｖ字凸部３２は、方向板３の裏側において平坦面３１の外縁部から周方向外方に向かって９０°おきに形成されている。すなわち、平坦面３１の裏側の外縁部から十字形状になるようにＶ字状に突出するようなＶ字凸部３２が合計４つ形成されていることになる。また、Ｖ字凸部３３は、図６上段に示す方向板３の中央よりやや右側に長手方向に沿って形成されている。これらＶ字凸部３２，３３は、方向板３を取付板２に対して回動自在に軸支させ、該方向板３を長手方向に沿って位置させた場合、取付板２の各Ｖ字溝２４，２６にそれぞれ嵌まり込むような位置関係に形成されている。また、Ｖ字凸部３２は、方向板３をヘッド１１の背面側に向かって９０°回動させた場合、取付板２の各Ｖ字溝２４にそれぞれ嵌まり込むような位置関係に形成されている。
【００２８】
図３および図７に示すように、取付板２と方向板３は、ボルト４とナット５を用いて互いに回動自在となるように軸支される。また、方向板３とナット５との間には略円筒状のスプリング６が介在される。ボルト４は、外径が３ｍｍ弱のボルト頭４ａと、ネジ部４ｂとを有する。ネジ部４ｂの先端にはネジ溝４ｃ（図３参照）が形成されている。ナット５は、略円柱状の外形形状を呈している。また、ナット５における円周状の側面には、すべり止め等を目的として、ローレット加工が施されている。また、ナット５の裏側には大径にて開口する大径開口部５ａと、大径開口部５ａよりも小径であり大径開口部５ａから表側に向かって形成される小径開口部５ｂとを有する。大径開口部５ａと小径開口部５ｂとの境界部には、略リング状の形態を有する当接部５ｃが形成されている。なお、小径開口部５ｂの内周面にはネジ部４ｂが螺入できるように不図示のネジ溝が形成されている。図７下段に示すように、ボルト４とナット５を締結し、方向板３を取付板２に対して回動自在に支持した状態では、ナット５の裏側の端面と方向板３の表面との間には隙間Ｇ１が形成される。
【００２９】
パッティング用補助具１を組み立てる際には、まず、取付板２の上に方向板３を重ねて配置させ、ボルト４のネジ部４ｂを取付板２の円孔２２および方向板３の円孔３０に裏側から挿通させる。この状態では、ボルト頭４ａが窪み部２７内に入り込んで該窪み部２７の端面に当接し、ネジ部４ｂが取付板２と方向板３の両者より表側に突出した状態となる（図７参照）。次に、取付板２と方向板３より突出したネジ部４ｂの外側にスプリング６を配置させる（図７参照）。その状態で、ボルト４のネジ部４ｂにナット５を締結していく。すると、ナット５の小径開口部５ｂにネジ部４ｂが螺入していき、ナット５の裏側の端面と方向板３の表面との間に隙間Ｇ１を有する状態となる。また、ナット５の小径開口部５ｂへのネジ部４ｂの螺入にともない、当接部５ｃによってスプリング６が押下されて縮んでゆく。
【００３０】
このように、スプリング６が縮むと、当該縮んだスプリング６の復元力によって方向板３が取付板２側に向かって押圧された状態、すなわち、Ｖ字凸部３２，３３がＶ字溝２４，２６に嵌まって方向板３と取付板２が平行な状態となる。この状態で、図２に示すように、方向板３をヘッド１１の背面側に向かって９０°回転させようとすると、方向板３に設けられる４つのＶ字凸部３２とＶ字凸部３３が、取付板２に形成される４つのＶ字溝２４と長手Ｖ字溝２６から抜け出そうとする。その力は方向板３を取付板２から上方に引き離す力となり、スプリング６はさらに縮む。Ｖ字凸部３２とＶ字凸部３３がＶ字溝２４，２６との係合から外れると、方向板３の９０°の回転がスムーズに行われる。方向板３が９０°回転すると、４つのＶ字凸部３２が再度４つのＶ字溝２４に嵌まり込み、その位置に保持される。このとき、スプリング６は方向板３と取付板２が平行なときと同じ状態となり、その復元力により方向板３が取付板２側に向かって押圧される。このように方向板３がセッテイングされたパッティング用補助具１は、フェイス上端面１２と取付板２の裏面との間に両面テープを介在させて、ヘッド１１に取り付られる。これにより、プレーヤーは方向板３のラインガイド２９を目安として目標ラインＸの方向性を確認しながらパッティングを行うことができる。また、ナット５を目印にしてプレーヤーの目がゴルフボールの真上、またはフェイスのスイートスポットＳの真上に位置しているか否かも確認できる。なお、方向板３をヘッド１１の背面側に向かって９０°回動させる動作はパッティング補助具１をヘッド１１に装着した後に行うようにしても良い。
【００３１】
方向板３が取付板２に対して平行な状態にあるときは、方向板３の一端側に設けられる４つのＶ字凸部３２が、取付板２の一端側に形成される４つのＶ字溝２４に嵌まり込み、かつＶ字凸部３３が係合凸部２１に形成される長手Ｖ字溝２６に嵌まることで、方向板３が取付板２と平行な状態で確実に保持される。また、この状態から方向板３をヘッド１１の背面側に向かって９０°移動させる場合、方向板３が上方へ移動することでスプリング６を押し縮めＶ字溝２４と長手Ｖ字溝２６から外れる。すなわち、４つのＶ字溝２４と１つの長手Ｖ字溝２６に嵌まり込んでいる４つのＶ字凸部３２と１つのＶ字凸部３３が、回動凸部２０および係合凸部２１の上に乗りあがる。その後、ヘッド１１の背面側に向かって９０°回動されると、４つのＶ字凸部３２が再度、取付板２の長手方向および短手方向に沿って形成される４つのＶ字溝２４に嵌まり込むことになる。
【００３２】
図４に示すように、プレーヤーは、方向板３をヘッド１１の背面側に向かって９０°移動させた状態でパッティングを行う。本実施の形態では、右利きのプレーヤーがパッティングを行う場合を例として挙げている。このため、プレーヤーがパッティングする際、該プレーヤーの左目がナット５の真上（鉛直上方）にくるようにし、かつプレーヤーの右目がラインガイド２９上の先端付近にくるようにすれば、プレーヤーはゴルフボールＢ（図４参照）を鉛直上方から目視した状態となると共に、パッティングの目標ラインＸ（図４参照）に対してフェイス１３を直角に合わせた状態になる。この状態で、プレーヤーがゴルフパター１０のヘッド１１を目標ラインＸ方向に沿って直線的に振り抜けば、正確なパッティングを行うことができる。
【００３３】
以上のように構成されたパッティング用補助具１では、方向板３を取付板２に対してヘッド１１の背面側に向かって９０°だけスライドさせ、該背面側にスライドされた方向板３のラインガイド２９を目安としてパッティングを行うことができる。このため、プレーヤーは目標ラインＸに対してフェイス１３を直角に合わせやすくなる。また、プレーヤーはナット５を目印としてゴルフボールＢを鉛直上方から目視できているか否かを確認することができる。すなわち、鉛直上方からゴルフボールＢを見ている場合には、図８の上段の図となり、プレーヤーの目がシャフト側にあるときは、図８の中段のようにナット５は他端側（ヘッド１１の先端側）に近づく。逆に、プレーヤーの目がヘッド１１の先端側にあるときは、図８の下段のようにナット５は一端側（シャフト側）に近づく。このため、プレーヤーは、ラインガイド２９およびナット５を目安として、ヘッド１１を目標ラインＸに沿って直線的に振り抜くことができ、ゴルフボールＢを目標ラインＸに沿って容易に転がすことが可能となる。
【００３４】
また、パッティング用補助具１は、両面テープ等を用いて、フェイス上端面１２に取り付けることが可能である。このため、パッティング用補助具１を簡易にヘッド１１に取り付けることが可能となる。加えて、パッティング用補助具１はゴルフパター１０とは別体として設けられているため、かさばることがなく持ち運びに便利である。また、ヘッド１１にパッティング用補助具１を取り付けた後は、図１のように方向板３を取付板２の上に全て重なるように配置させることで、かさばることはなくなる。
【００３５】
また、パッティング用補助具１は、方向板３をヘッド１１の背面側に向かって９０°回動させる構成とされているため、パッティングの際に補助を必要としない場合は、方向板３を回動させることなく、一般のゴルフパター１０として使用でき、パッティングの際に補助を必要とする際にのみ方向板３の補助を利用できる。このため、プレーヤーの意志によってパッティング用補助具１の利用の可否を決定することが可能である。
【００３６】
また、パッティング補助具１は、取付板２と方向板３とをボルト４とナット５で締結させて組み立てる構成とされている。このため、プレーヤーはパッティング補助具１を容易に組み立てることが可能である。さらに、パッティング補助具１を構成する部品点数が少ないためコストを低減することが可能となる。
【００３７】
また、パッティング補助具１では、方向板３とナット５との間にスプリング６を介在させ、該スプリング６の付勢力を利用して方向板３のＶ字凸部３２，３３を取付板２のＶ字溝２４に嵌まり込ませ、方向板３を取付板２に対して位置決めさせている。このため、簡易な構造で方向板３の位置決めを行うことが可能である。
【００３８】
（第２の実施の形態）
以下、本発明の第２の実施の形態に係るパッティング用補助具４０について、図面を参照しながら説明する。なお、第２の実施の形態に係るパッティング用補助具４０において、第１の実施の形態と共通する部分については、その説明を省略または簡略化する。
【００３９】
図９は、本発明の第２の実施の形態に係るパッティング用補助具４０をゴルフパター１０のヘッド１１に装着した状態を示す斜視図であり、方向筒４１をヘッド１１の長手方向に沿って位置させた状態の図である。図１０は、パッティング用補助具４０をゴルフパター１０のヘッド１１に装着した状態を示す斜視図であり、方向筒４１をヘッド１１の背面側に向かって９０°回動させると共に方向筒４１に棒４２を差し込んだ状態の図である。図１１は、方向筒４１の構成を示す図であり、上段はその平面図であり、中段はその側面図であり、下段は上段において矢示Ｃ方向から見た正面図である。
【００４０】
本発明の第２の実施の形態に係るパッティング用補助具４０は、図９および図１０に示すように、取付板２と、ゴルフパター１０をストロークするとき、ゴルフボールＢ（図４参照）の打球を目標ラインＸ（図４参照）に沿って転がすための補助を行う方向筒４１と、取付板２と、ボルト４と、ナット５と、スプリング６を有する。このパッティング用補助具４０は、第１の実施の形態の場合と同様、ゴルフパター１０のヘッド１１に装着される。
【００４１】
図９および図１０に示すように、方向筒４１は、ボルト４およびナット５によって、取付板２に対して水平方向に沿って回動可能に軸支されている。このため、パッティング用補助具４０をヘッド１１に取り付け、方向筒４１を取付板２に対して背面側に向かって直交する方向に回動させれば、該方向筒４１はヘッド１１のフェイス１３に対して直交する方向に向いた状態となる（図１０参照）。また、プレーヤーは、方向筒４１がフェイス１３に対して直交する方向に向いた状態で、後述する筒状部４６に円柱状の棒４２を差し込む。このような構成により、プレーヤーは、棒４２が指し示す方向を目視しながらスイングでき、ヘッド１１を目標ラインＸに沿って直線的に振り抜くことできる。
【００４２】
このパッティング用補助具４０のヘッド１１への装着方法としては、第１の実施の形態の場合と同様、たとえば、取付板２をフェイス上端面１２に、両面テープを用いて取り付ける方法が挙げられる。
【００４３】
図１１に示すように、方向筒４１は、板状の形態を有する平板部４５と、筒状の形態を有する筒状部４６とを有する。方向筒４１の長手方向に沿った長さ寸法は２２ｍｍに形成され、筒状部４６の長手方向の長さ寸法は１０ｍｍに形成され、平板部４５の短手方向に沿った幅寸法は７ｍｍに形成されて、筒状部４６の幅寸法は２．５〜３．０ｍｍに形成されている。方向筒４１は、たとえば、ＳＵ３０４のステンレス鋼から形成されている。しかしながら、方向筒４１の材料はステンレスに限定されるものではない。また、方向筒４１の表面にはニッケルメッキが施されている。しかしながら方向筒４１の表面に、ニッケルメッキを施さないようにしても良い。
【００４４】
図１１上段に示すように、平板部４５は、略矩形状の形態を有する矩形板部４７と、該矩形板部４７に連接する略台形状の台形板部４８を有する。矩形板部４７には、直径２ｍｍの円孔５０が設けられている。また、矩形板部４７の表側において円孔５０が形成されている部位の外縁部近傍には平坦面５１が存在する。矩形板部４７には、裏側に向かって略Ｖ字状に突出する合計４つのＶ字凸部５２が設けられている。このＶ字凸部５２の突出長さは、たとえば、０．３ｍｍに形成することができる。Ｖ字凸部５２は、矩形板部４７の裏側において平坦面５１の外縁部から周方向外方に向かって９０°おきに形成されている。すなわち、平坦面５１の裏側の外縁部から十字方向に向かってＶ字凸部５２が合計４つ形成されていることになる。これらＶ字凸部５２は、方向筒４１を取付板２に対して回動自在に軸支させ、背面側に向かって９０°回動させた場合、取付板２の各Ｖ字溝２４に嵌まり込むような位置関係に形成されている。また、Ｖ字凸部５２と対応するように、矩形板部４７の表側には十字形状のラインが表記されている。
【００４５】
台形板部４８は、図１１上段に示すように、台形の板状の形態を有している。筒状部４６は、台形板部４８に隣接するように設けられている。また、筒状部４６は、図１１下段に示すように、その他端側４６ｂから正面視して表側が開放する略台形状の形態を有する開口部４６ａを有している。すなわち、図１１下段に示すように、筒状部４６は、その左右両端に表側に向かって互いに接近するように立設する２つの平板状の板状部４６ｄを有する。また、筒状部４６の一端側４６ｃも開口部４６ａと同形状の形態で開口している。図１０に示すように、筒状部４６の開口部４６ａから棒形状の棒４２を差し込むと、該棒４２の一部が筒状部４６内に納まる。
【００４６】
棒４２の直径は、筒状部４６からの抜けを防止するために、その外周面が筒状部４６の内周面と接触する程度の大きさとするのが好ましい。棒４２は、図１０中段に示すように、その径の大きさが先端側に向かうにつれて徐々に小径となるように形成されている。この棒４２の大径の部分の直径寸法は、たとえば、２．０ｍｍに形成されており、長さ寸法は、たとえば、５５ｍｍに形成されている。また、この棒４２は、複数に色分けされたものを用意しておき、パッティングの強度に応じて所定の色の棒４２を使い分けるようにすることが可能である。たとえば、強くパッティングする際は、赤色の棒４２を用い、弱くパッティングする際は青色の棒４２を用いる等、各プレーヤーに応じて棒４２の色を使い分けることができる。この方向筒４１の取付板２に対する取付方法は、第１の実施の形態の場合と同様であるので、その説明は省略する。棒４２としては、樹脂材としたり、木材としたりすることができる。また、棒４２として、ゴルフティーを使用しても良い。
【００４７】
プレーヤーがパッティング用補助具４０を用いてパッティングする際には、該プレーヤーの左目がナット５の真上（鉛直上方）にくるようにし、かつプレーヤーの右目が棒４２のライン上にくるようにすれば、プレーヤーはゴルフボールＢ（図４参照）を鉛直上方から目視した状態となると共に、パッティングの目標ラインＸ（図４参照）に対してフェイス１３を直角に合わせた状態になる。この状態で、プレーヤーがヘッド１１を目標ラインＸ方向に沿って直線的に振り抜けば、正確なパッティングを行うことができる。
【００４８】
以上のように構成されたパッティング用補助具４０では、方向筒４１を取付板２に対してヘッド１１の背面側に向かって９０°だけ回動させ、筒状部４６に差し込まれた棒４２を目安としてパッティングを行うことができる。このため、プレーヤーは目標ラインＸに対してフェイス１３を直角に合わせやすくなる。加えて、プレーヤーはナット５を目印としてゴルフボールＢを鉛直上方から目視できているか否かを確認することができる。このため、プレーヤーは、棒４２およびナット５を目安として、ヘッド１１を目標ラインＸに沿って直線的に振り抜くことができ、ゴルフボールＢを目標ラインＸに沿って容易に転がすことが可能となる。
【００４９】
また、パッティング用補助具４０では、方向筒４１はコンパクトな構成とされている。このため、パッティング用補助具４０をゴルフパター１０と別体として手軽に持ち運ぶことが可能となる。
【００５０】
また、パッティング用補助具４０では、パッティングの強度にあわせて棒４２の色を使い分けることができる。このため、プレーヤーは棒４２の色を目安として、どれくらいの強度でパッティングを行えばよいのかを容易に認識することが可能となる。
【００５１】
以上、本発明の各実施の形態について説明したが、本発明は上述の形態に限定されることなく、種々変形した形態にて実施可能である。
【００５２】
また、上述の各実施の形態では、Ｖ字凸部３２，３３，５２は、方向板３の裏側にＶ字状に突出する形態で形成されているが、Ｖ字凸部３２，３３，５２の形状は当該形状に限定されるものではなく、たとえば、図１２に示すように、方向板３もしくは方向筒４１において表側から裏側に向かって折り曲げ形成された溝部５５，５６としても良い。この場合、溝部５５は、平坦面３１，５１の外縁から十字方向に向かってＶ字状の溝形状に形成されることになる。また、上述の各実施の形態では、方向板３および方向筒４１の円孔３０，５０近傍は、平坦な面となる平坦面３１，５１とされているが、図１２に示すように、平坦面３１，５１の部分を、平面視して四角形の形態で段差状に窪む段部５７としても良い。このように構成した場合、スプリング６の一端が当該段部５７の中に嵌まり込むことになる。
【００５３】
また、上述の各実施の形態では、パッティング用補助具１，４０を右利き用のゴルフパター１０に適用する場合を例として挙げたが、パッティング用補助具１，４０を左利き用のゴルフパター１０に適用するようにしても良い。
【００５４】
また、上述の第２の実施の形態では、筒状部４６に差し込まれる棒状部材は樹脂材や木材の棒４２とされているが、差し込まれる棒はそれらに限定されるものではなく、たとえば、金属製の棒状部材を用いても良い。
【００５５】
また、上述の第２の実施の形態では、筒状部４６の正面形状は台形形状とされているが、筒状部４６の正面形状は台形形状に限定されるものではなく、たとえば、四角形状や円形状等の他の形状としても良い。また、筒状部４６における台形状の表側の開放部分を閉塞させるような構成としても良い。
【００５６】
また、上述の各実施の形態では、方向板３および方向筒４１の裏側から突出する凸部は、Ｖ字状のＶ字凸部３２，３３，５２とされると共に、取付板２に設けられている溝はＶ字状のＶ字溝２４，２６とされているが、その断面形状はＶ字状の凸部および溝部に限定されるものではなく、四角形状や楕円形状等の他の形状としても良い。また、方向板３および方向筒４１にはＶ字凸部３２，５２が４つ設けられ、取付板２にはＶ字溝２４が４つ設けられているが、方向板３および方向筒４１に設けられるＶ字凸部３２，５２の数、および取付板２に設けられるＶ字溝２４の数は、共に４つに限定されるものではなく、たとえば、取付板２に設けられるＶ字溝２４の数を４つとし、方向板３もしくは方向筒４１に設けられるＶ字凸部３２，５２の数を１つ、２つもしくは３つとしても良い。また、取付板２に設けられるＶ字溝２４の数を３つとし、方向板３もしくは方向筒４１に設けられるＶ字凸部３２，５２の数を１つもしくは２つとしても良い。さらには、取付板２に設けられるＶ字溝２４の数を２つとし、方向板３もしくは方向筒４１に設けられるＶ字凸部３２，５２の数を１つとしても良い。
【００５７】
また、上述の各実施の形態では、ナット５と方向板３との間にスプリング６を介在させる構成とされているが、当該部分に配置される部材はスプリング６に限定されるものではなく、たとえば、クッション材やゴム等の他の弾性部材を配置させるようにしても良い。
【００５８】
また、上述の各実施の形態で示した寸法例は、パッティング用補助具１，４０を構成する各種部材の寸法の一例であり、当該各種部材を他の寸法において形成するようにしても良い。
【００５９】
また、上述の各実施の形態では、パッティング用補助具１，４０をヘッド１１に装着する際に該パッティング用補助具１，４０をヘッド１１に位置決めするための部材が設けられていないが、パッティング用補助具１，４０をヘッド１１に対して容易に位置決めするために、たとえば、図５に示す取付板２の紙面奥側となる前方および／または紙面手前側となる後方の端面から下方に向かって略矩形状の板部材を延出させるようにしても良い。この場合、板部材をヘッド１１のフェイス１３や背面１４に当接させることで、パッティング用補助具１，４０をヘッド１１に対して容易に位置決めすることができる。
【符号の説明】
【００６０】
１，４０…パッティング用補助具
２…取付板
３…方向板
４…ボルト
５…ナット
６…スプリング（弾性部材）
１０…ゴルフパター（クラブ）
１１…ヘッド
１２…フェイス上端面
１３…フェイス
２４，２６…Ｖ字溝（溝部）
３２，３３…Ｖ字凸部（凸部）
４２…棒（棒状部材）
４６…筒状部
Ｓ…スイートスポット
Ｘ…目標ライン
【図１】
2011110217.tif 000003
【図２】
2011110217.tif 000004
【図３】
2011110217.tif 000005
【図４】
2011110217.tif 000006
【図５】
2011110217.tif 000007
【図６】
2011110217.tif 000008
【図７】
2011110217.tif 000009
【図８】
2011110217.tif 000010
【図９】
2011110217.tif 000011
【図１０】
2011110217.tif 000012
【図１１】
2011110217.tif 000013
【図１２】
2011110217.tif 000014
【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
クラブのフェイスを目標ラインに対して直角に向けてパッティングを行うように補助するパッティング用補助具において、
ヘッドのフェイス上端面に取り付けられる平板の取付板と、
上記取付板に対して水平方向に回動可能に軸支されるとともに、上記取付板に対して相対回転させて、上記フェイスに対して直交する方向と平行となる方向にセッテイング可能となる平板の方向板と、を有し、
上記取付板と上記方向板とは係合可能であること、
を特徴とするパッティング用補助具。
【請求項２】
請求項１記載のパッティング用補助具において、
前記方向板と前記取付板とはボルトとナットを締結することにより互いに回動自在に支持されており、前記方向板と上記ナットとの間に弾性部材を介在させることにより、前記方向板を前記取付板の方向に押圧させるとともに、上記ナットを前記方向板から離間するように配置させ、
上記ナットを上方から見たとき、その先端が前記方向板のどこに位置するかによってパッティングしようとするゴルフボールを鉛直上方から目視できているか否かを確認することができるようにした、
ことを特徴とするパッティング用補助具。
【請求項３】
請求項２記載のパッティング用補助具において、
前記方向板には、長手方向および短手方向に沿うように裏側に向かって突出する凸部が形成される、もしくは長手方向または短手方向に沿うように裏側に向かって突出する凸部が形成され、
前記取付板の表側には、長手方向および短手方向に沿うような溝部が形成される、もしくは長手方向または短手方向に沿うような溝部が形成され、
前記方向板を前記フェイスに対して直交する方向まで回動させると、上記凸部が上記回動した位置において上記溝部に嵌まり込み、前記方向板が前記取付板に対して位置決めされる、
ことを特徴とするパッティング用補助具。
【請求項４】
請求項３記載のパッティング用補助具において、
前記ナットは前記クラブフェイスの中心点となるスイートスポットに取り付けられていることを特徴とするパッティング用補助具。
【請求項５】
請求項１から４のいずれか１項記載のパッティング用補助具において、
前記フェイス上端面に対して着脱可能であることを特徴とするパッティング用補助具。
【請求項６】
請求項１から５のいずれか１項記載のパッティング用補助具において、
前記方向板の先端にその先端側が開口する筒形状の筒状部を設け、該筒状部の内部にパッティングのラインガイドとなる棒状部材を差し込み可能な構成としたことを特徴とするパッティング用補助具。
【請求項７】
請求項１から６のいずれか１項記載のパッティング用補助具を、前記ヘッドの前記フェイス上端面に装着したことを特徴とするゴルフパター。
【手続補正２】
【補正対象書類名】明細書
【補正対象項目名】０００８
【補正方法】変更
【補正の内容】
【０００８】
上記課題を解決するために、本発明の一側面は、クラブのフェイスを目標ラインに対して直角に向けてパッティングを行うように補助するパッティング用補助具において、ヘッドのフェイス上端面に取り付けられる平板の取付板と、取付板に対して水平方向に回動可能に軸支されるとともに、取付板に対して相対回転させて、フェイスに対して直交する方向と平行となる方向にセッテイング可能となる平板の方向板と、を有し、取付板と、方向板とは係合可能であるものである。
【手続補正３】
【補正対象書類名】明細書
【補正対象項目名】０００９
【補正方法】変更
【補正の内容】
【０００９】
また、方向板と取付板とはボルトとナットを締結することにより互いに回動自在に支持されており、方向板とナットとの間に弾性部材を介在させることにより、方向板を取付板の方向に押圧させるとともに、ナットを方向板から離間するように配置させ、ナットを上方から見たとき、その先端が方向板のどこに位置するかによってパッティングしようとするゴルフボールを鉛直上方から目視できているか否かを確認することができるようにすることが好ましい。
【手続補正４】
【補正対象書類名】明細書
【補正対象項目名】００１０
【補正方法】変更
【補正の内容】
【００１０】
また、方向板には、長手方向および短手方向に沿うように裏側に向かって突出する凸部が形成される、もしくは長手方向または短手方向に沿うように裏側に向かって突出する凸部が形成され、取付板の表側には、長手方向および短手方向に沿うような溝部が形成される、もしくは長手方向または短手方向に沿うような溝部が形成され、方向板をフェイスに対して直交する方向まで回動させると、凸部が回動した位置において溝部に嵌まり込み、方向板が取付板に対して位置決めされる、ことが好ましい。
【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
クラブのフェイスを目標ラインに対して直角に向けてパッティングを行うように補助するパッティング用補助具において、
ヘッドのフェイス上端面に取り付けられる平板の取付板と、
上記取付板に対して水平方向に回動可能に軸支されるとともに、上記取付板に対して相対回転させて、上記フェイスに対して直交する方向と平行となる方向にセッテイング可能となる平板の方向板と、を有し、
上記平板の方向板の幅は、上記平板の取付板の幅と略同一であり、
上記方向板が上記取付板と平行となる方向にセッテイングされた場合に、上記方向板の先端部分が上記取付板の先端部分より突出しないように上記方向板が上記取付板と係合可能に構成されていること、
を特徴とするパッティング用補助具。
【請求項２】
請求項１記載のパッティング用補助具において、
前記方向板と前記取付板とはボルトとナットを締結することにより互いに回動自在に支持されており、前記方向板と上記ナットとの間に弾性部材を介在させることにより、前記方向板を前記取付板の方向に押圧させるとともに、上記ナットを前記方向板から離間するように配置させ、
上記ナットを上方から見たとき、前記方向板の短手方向の中央に表記され、長手方向に沿うように黒色もしくは特定の色からなる直線状のラインガイドの先端が前記目標ラインと比較してどこに位置するかによってパッティングしようとするゴルフボールを鉛直上方から目視できているか否かを確認することができるようにした、
ことを特徴とするパッティング用補助具。
【請求項３】
請求項２記載のパッティング用補助具において、
前記方向板には、長手方向および短手方向に沿うように裏側に向かって突出する凸部が形成される、もしくは長手方向または短手方向に沿うように裏側に向かって突出する凸部が形成され、
前記取付板の表側には、長手方向および短手方向に沿うような溝部が形成される、もしくは長手方向または短手方向に沿うような溝部が形成され、
前記方向板を前記フェイスに対して直交する方向まで回動させると、上記凸部が上記回動した位置において上記溝部に嵌まり込み、前記方向板が前記取付板に対して位置決めされる、
ことを特徴とするパッティング用補助具。
【請求項４】
請求項３記載のパッティング用補助具において、
前記ナットは前記クラブフェイスの中心点となるスイートスポットに取り付けられていることを特徴とするパッティング用補助具。
【請求項５】
請求項１から４のいずれか１項記載のパッティング用補助具において、
前記フェイス上端面に対して着脱可能であることを特徴とするパッティング用補助具。
【請求項６】
請求項１から５のいずれか１項記載のパッティング用補助具において、
前記方向板の先端にその先端側が開口する筒形状の筒状部を設け、該筒状部の内部にパッティングのラインガイドとなる棒状部材を差し込み可能な構成としたことを特徴とするパッティング用補助具。
【請求項７】
請求項１から６のいずれか１項記載のパッティング用補助具を、前記ヘッドの前記フェイス上端面に装着したことを特徴とするゴルフパター。
【手続補正２】
【補正対象書類名】明細書
【補正対象項目名】０００８
【補正方法】変更
【補正の内容】
【０００８】
上記課題を解決するために、本発明の一側面は、クラブのフェイスを目標ラインに対して直角に向けてパッティングを行うように補助するパッティング用補助具において、ヘッドのフェイス上端面に取り付けられる平板の取付板と、取付板に対して水平方向に回動可能に軸支されるとともに、取付板に対して相対回転させて、フェイスに対して直交する方向と平行となる方向にセッテイング可能となる平板の方向板と、を有し、方向板の幅は、取付板の幅と略同一であり、方向板が取付板と平行となる方向にセッテイングされた場合に、方向板の先端部分が取付板の先端部分より突出しないように方向板が取付板と係合可能に構成されているものである。
【手続補正３】
【補正対象書類名】明細書
【補正対象項目名】０００９
【補正方法】変更
【補正の内容】
【０００９】
また、方向板と取付板とはボルトとナットを締結することにより互いに回動自在に支持されており、方向板とナットとの間に弾性部材を介在させることにより、方向板を取付板の方向に押圧させるとともに、ナットを方向板から離間するように配置させ、ナットを上方から見たとき、方向板の短手方向の中央に表記され、長手方向に沿うように黒色もしくは特定の色からなる直線状のラインガイドの先端が目標ラインと比較してどこに位置するかによってパッティングしようとするゴルフボールを鉛直上方から目視できているか否かを確認することができるようにすることが好ましい。